(57)【要約】【課題】選択範囲の設定または解除を容易にする表示装置を提供する。【解決手段】本発明による表示装置（１００）は、表示部（１１０）と、割当部（１２２）と、設定部（１２４）と、検出部（１３０）とを備える。検出部（１３０）は、複数の選択候補範囲のうちの特定の選択候補範囲を特定し、設定部（１２４）によって特定の選択候補範囲を選択範囲として設定するか否かを切り替えるための操作を検出する。検出部（１３０）が、特定の選択候補範囲について選択範囲としての設定を切り替えるための第１操作を検出した後、特定の選択候補範囲から所定の方向に向けて行われる第２操作を検出する場合、設定部（１２４）は、特定の選択候補範囲について選択範囲としての設定を切り替え、複数の選択候補範囲のうちの特定の選択候補範囲から所定の方向に位置する選択候補範囲について特定の選択候補範囲と同じ設定になるように選択範囲としての設定を切り替える。【選択図】図１
2019175228.tif 000002
【特許請求の範囲】
【請求項１】
画像を表示する表示部と、
前記画像に複数の選択候補範囲を割り当てる割当部と、
前記複数の選択候補範囲のうちのいずれかの選択候補範囲を選択範囲として設定する設定部と、
前記設定部が前記複数の選択候補範囲のうちの選択された選択候補範囲を前記選択範囲として設定するか否かを切り替えるための操作を検出する検出部と
を備え、
前記検出部が、前記複数の選択候補範囲のうちの特定の選択候補範囲について前記選択範囲としての設定を切り替えるための第１操作を検出した後、前記特定の選択候補範囲から所定の方向に向けて行われる第２操作を検出する場合、前記設定部は、前記特定の選択候補範囲について前記選択範囲としての設定を切り替え、前記複数の選択候補範囲のうちの前記特定の選択候補範囲から前記所定の方向に位置する選択候補範囲について前記特定の選択候補範囲と同じ設定になるように前記選択範囲としての設定を切り替える、表示装置。
【請求項２】
前記検出部は、前記第１操作としてタップ操作を検出し、
前記検出部は、前記第２操作としてフリック操作を検出する、請求項１に記載の表示装置。
【請求項３】
前記検出部が、前記第１操作としてシングルタップ操作を検出した場合、前記設定部は、前記特定の選択候補範囲を前記選択範囲として設定し、
前記検出部が、前記第１操作としてダブルタップ操作を検出した場合、前記設定部は、前記特定の選択候補範囲を前記選択範囲から解除する、請求項１または２に記載の表示装置。
【請求項４】
前記検出部が前記第１操作を検出する際に前記特定の選択候補範囲が前記選択範囲として設定されていなかった場合、前記設定部は、前記特定の選択候補範囲を前記選択範囲として設定し、
前記検出部が前記第１操作を検出する際に前記特定の選択候補範囲が前記選択範囲として設定されていた場合、前記設定部は、前記特定の選択候補範囲について前記選択範囲の設定を解除する、請求項１または２に記載の表示装置。
【請求項５】
前記割当部は、前記画像に、複数の行および複数の列に配列されたマトリクス状に前記複数の選択候補範囲を割り当て、
前記検出部が、前記第２操作の行われた前記所定の方向が斜め方向であることを検出する場合、前記設定部は、前記特定の選択候補範囲から、前記所定の方向に位置する選択候補範囲について前記特定の選択候補範囲と同じ設定になるように前記選択範囲としての設定を切り替える、請求項１から４のいずれかに記載の表示装置。
【請求項６】
前記割当部は、前記画像に、複数の行および複数の列に配列されたマトリクス状に前記複数の選択候補範囲を割り当て、
前記検出部が、前記第２操作の行われた前記所定の方向が斜め方向であることを検出する場合、前記設定部は、前記特定の選択候補範囲から、前記所定の方向に応じて規定される前記複数の行のうちのいくつかの行および前記複数の列のうちのいくつかの列に含まれる選択候補範囲について前記特定の選択候補範囲と同じ設定になるように前記選択範囲としての設定を切り替える、請求項１から４のいずれかに記載の表示装置。
【請求項７】
前記検出部が、前記複数の選択候補範囲のうちのいずれかの選択候補範囲に対して行われた第３操作を検出する場合、前記設定部は、前記第３操作の行われた選択候補範囲の一部の領域を前記選択範囲として設定する、請求項１から６のいずれかに記載の表示装置。
【請求項８】
前記検出部が前記第３操作を検出した場合、前記設定部は、前記第３操作の行われた操作時間を計測し、前記第３操作の前記操作時間に応じて、前記第３操作の行われた選択候補範囲のうち前記選択範囲として設定する領域を増大するように前記選択範囲を設定する、請求項７に記載の表示装置。
【請求項９】
前記検出部によって検出される前記第３操作は長押し操作を含む、請求項７または８に記載の表示装置。
【発明の詳細な説明】
【技術分野】
【０００１】
本発明は、表示装置に関する。
【背景技術】
【０００２】
近年、犯罪抑止および事故防止等の目的で多くの監視システムが設置されている。特に、監視システムは、不特定多数の人が出入りできる施設、例えば、ホテル、ビル、コンビニエンスストア、金融機関、高速道路、鉄道といった施設に設置される。このような監視システムでは、監視対象の人物や車両等をカメラで撮影し、撮像画像データは管理事務所や警備室等の監視センターに伝送され、監視者は、表示装置を介して撮像画像を監視する。
【０００３】
一方で、監視システムの撮影画像に一般家庭の窓または個人情報に関する領域が含まれることがあり、プライバシーが問題になることがある。そのため、カメラによって取得した映像を表示装置に表示する際に、表示映像にマスク領域を設定するカメラシステムが知られている（特許文献１）。
【先行技術文献】
【特許文献】
【０００４】
【特許文献１】特開２０１１−２３４２３７号公報
【発明の概要】
【発明が解決しようとする課題】
【０００５】
特許文献１のカメラシステムでは、カメラによって撮像された撮像画像のうちの特定の領域をマスク領域に設定できる。しかしながら、特許文献１のカメラシステムでは、複数のマスク領域を連続して設定する場合でも逐次設定することが必要であった。
【０００６】
本発明は、上記課題に鑑み、選択範囲の設定または解除を容易にする表示装置を提供することを目的とする。
【課題を解決するための手段】
【０００７】
本発明に係る表示装置は、表示部と、割当部と、設定部と、検出部とを備える。前記表示部は、画像を表示する。前記割当部は、前記画像に複数の選択候補範囲を割り当てる。前記設定部は、前記複数の選択候補範囲のうちのいずれかの選択候補範囲を選択範囲として設定する。前記検出部は、前記設定部が前記複数の選択候補範囲のうちの選択された選択候補範囲を前記選択範囲として設定するか否かを切り替えるための操作を検出する。前記検出部が、前記複数の選択候補範囲のうちの特定の選択候補範囲について前記選択範囲としての設定を切り替えるための第１操作を検出した後、前記特定の選択候補範囲から所定の方向に向けて行われる第２操作を検出する場合、前記設定部は、前記特定の選択候補範囲について前記選択範囲としての設定を切り替え、前記複数の選択候補範囲のうちの前記特定の選択候補範囲から前記所定の方向に位置する選択候補範囲について前記特定の選択候補範囲と同じ設定になるように前記選択範囲としての設定を切り替える。
【発明の効果】
【０００８】
本発明によれば、表示装置における選択範囲の設定または解除を容易にできる。
【図面の簡単な説明】
【０００９】
【図１】本発明による表示装置の実施形態のブロック図である。
【図２】本実施形態の表示装置において画像を表示する表示部を示す模式図である。
【図３】本実施形態の表示装置において複数の選択候補範囲の割り当てられた画像を表示する表示部を示す模式図である。
【図４】本実施形態の表示装置において選択範囲の設定された画像を表示する表示部を示す模式図である。
【図５】（ａ）は、第１操作の行われた本実施形態の表示装置を示す模式図であり、（ｂ）は、第２操作の行われた本実施形態の表示装置を示す模式図である。
【図６】（ａ）は、第１操作の行われた本実施形態の表示装置を示す模式図であり、（ｂ）は、第２操作の行われた本実施形態の表示装置を示す模式図である。
【図７】（ａ）は、第１操作の行われた本実施形態の表示装置を示す模式図であり、（ｂ）は、第２操作の行われた本実施形態の表示装置を示す模式図である。
【図８】（ａ）は、第１操作としてある操作の行われた本実施形態の表示装置を示す模式図であり、（ｂ）は、第１操作として別の操作の行われた本実施形態の表示装置を示す模式図である。
【図９】（ａ）は、第１操作の行われた本実施形態の表示装置を示す模式図であり、（ｂ）は、第２操作の行われた本実施形態の表示装置を示す模式図である。
【図１０】（ａ）は、第１操作の行われた本実施形態の表示装置を示す模式図であり、（ｂ）は、第２操作の行われた本実施形態の表示装置を示す模式図である。
【図１１】（ａ）は、第３操作の行われる前の本実施形態の表示装置を示す模式図であり、（ｂ）は、第３操作の行われている途中の本実施形態の表示装置を示す模式図であり、（ｃ）は、第３操作の行われた後の本実施形態の表示装置を示す模式図である。
【図１２】本実施形態の表示装置における選択候補範囲の割当および操作の設定を示すフローチャートである。
【図１３】本実施形態の表示装置における選択範囲の設定を示すフローチャートである。
【図１４】本実施形態の表示装置を備えた監視システムのブロック図である。
【発明を実施するための形態】
【００１０】
以下、図面を参照して、本発明による表示装置の実施形態を説明する。なお、図中、同一または相当部分については同一の参照符号を付して説明を繰り返さない。
【００１１】
図１を参照して本実施形態の表示装置１００を説明する。図１は、表示装置１００のブロック図である。
【００１２】
表示装置１００は、表示部１１０と、制御部１２０と、検出部１３０とを備える。表示部１１０は、画像を表示する。制御部１２０は、表示部１１０を制御する。検出部１３０は、操作者の操作を検出する。制御部１２０は、検出部１３０の検出結果に基づいて表示部１１０を制御する。
【００１３】
制御部１２０は、割当部１２２と、設定部１２４とを含む。割当部１２２は、画像に複数の選択候補範囲を割り当てる。表示部１１０は、割当部１２２によって割り当てられた複数の選択候補範囲を画像とともに表示してもよい。
【００１４】
設定部１２４は、複数の選択候補範囲のうちのいずれかの選択候補範囲を選択範囲として設定する。例えば、設定部１２４は、複数の選択候補範囲のうちの隣接する２つの選択候補範囲を選択範囲として設定する。あるいは、設定部１２４は、複数の選択候補範囲のうちの離れた２つの選択候補範囲を異なる選択範囲として設定する。
【００１５】
例えば、設定された選択範囲はマスク範囲として利用される。この場合、表示部１１０には、選択範囲にマスク処理の行われた画像が表示される。
【００１６】
あるいは、設定された選択範囲は検知範囲として利用されてもよい。例えば、画像の選択範囲の変化は、背景差分法または隣接フレーム間差分法によって検知される。画像のうちの選択範囲の変化が検知されると、画像は変化の検知された画像として処理される。
【００１７】
表示部１１０は、設定部１２４によって設定された選択範囲を表示する。表示部１１０は、設定部１２４によって設定された選択範囲を画像とともに表示してもよい。あるいは、表示部１１０は、設定部１２４によって設定された選択範囲を画像および選択候補範囲とともに表示してもよい。
【００１８】
検出部１３０は、操作者の操作を検出する。例えば、検出部１３０は、タッチセンサーを含む。あるいは、検出部１３０は、キーボードおよび／またはマウスを含んでもよい。
【００１９】
検出部１３０は、複数の選択候補範囲のうち操作者によって特定された選択候補範囲を検出する。また、検出部１３０は、特定の選択候補範囲を選択範囲として設定するか否かを切り替えるための操作を検出する。
【００２０】
操作者が検出部１３０に操作を行うと、検出部１３０は、操作者の操作を検出する。この場合、設定部１２４は、特定の選択候補範囲について選択範囲としての設定を切り替えることができる。例えば、操作者が、選択範囲として設定されていた選択候補範囲を操作したことを検出部１３０が検出すると、設定部１２４は、選択範囲として設定されていた選択候補範囲の設定を解除できる。あるいは、操作者が、選択範囲として設定されていなかった選択候補範囲を選択したことを検出部１３０が検出すると、設定部１２４は、選択範囲として設定されていなかった選択候補範囲を選択範囲として設定できる。このように、選択範囲は、操作者の操作に応じて設定される。
【００２１】
あるいは、操作者が検出部１３０に予め決められた操作を行う場合、検出部１３０は、操作者の操作を検出する。この場合、設定部１２４は、特定の選択候補範囲について選択範囲としての設定を切り替えることができる。例えば、操作者が、選択候補範囲に対して予め決められたある操作を行ったことを検出部１３０が検出すると、設定部１２４は、選択候補範囲に対して選択範囲の設定を解除できる。あるいは、操作者が、選択候補範囲に対して予め決められた別の操作を行ったことを検出部１３０が検出すると、設定部１２４は、選択候補範囲を選択範囲として設定できる。このように、選択範囲は、操作者の操作に応じて設定される。
【００２２】
本実施形態の表示装置１００によれば、検出部１３０が、特定の選択候補範囲について選択範囲としての設定を切り替えるための第１操作を検出する。設定部１２４は、特定の選択候補範囲について選択範囲としての設定を切り替える。その後、検出部１３０は、特定の選択候補範囲から所定の方向に向かって行われる第２操作を検出する場合、設定部１２４は、複数の選択候補範囲のうちの特定の選択候補範囲から所定の方向に位置する選択候補範囲について特定の選択候補範囲と同じ設定になるように選択範囲としての設定を切り替える。表示装置１００によれば、特定の選択候補範囲から所定の方向に位置する複数の選択候補範囲について特定の選択候補範囲と同じ設定になるように選択範囲としての設定を切り替えるため、選択範囲の設定または解除を容易にできる。
【００２３】
なお、表示装置１００は、記憶部１４０をさらに備えることが好ましい。記憶部１４０は、各種データを記憶する。記憶部１４０は、ストレージデバイスおよび半導体メモリーによって構成される。ストレージデバイスは、例えば、ハードディスクドライブ（Ｈａｒｄ  Ｄｉｓｋ  Ｄｒｉｖｅ：ＨＤＤ）、および／または、ソリッドステートドライブ（Ｓｏｌｉｄ  Ｓｔａｔｅ  Ｄｒｉｖｅ：ＳＳＤ）を含む。半導体メモリーは、例えば、ランダムアクセスメモリー（Ｒａｎｄｏｍ  Ａｃｃｅｓｓ  Ｍｅｍｏｒｙ：ＲＡＭ）およびリードオンリメモリー（Ｒｅａｄ  Ｏｎｌｙ  Ｍｅｍｏｒｙ：ＲＯＭ）を含む。
【００２４】
記憶部１４０は、制御部１２０の実行するプログラムを記憶する。制御部１２０は、記憶部１４０に記憶されたプログラムを実行することによって、表示部１１０の動作を制御する。また、記憶部１４０は、表示部１１０に表示される画像を記憶してもよい。また、記憶部１４０は、画像に対する選択候補範囲の割当を記憶してもよい。
【００２５】
ここで、図１から図４を参照して、本実施形態の表示装置１００において画像Ｍに割り当てられた複数の選択候補範囲ＣＳのいずれかを選択範囲ＳＲとして設定することを説明する。
【００２６】
図２は、本実施形態の表示装置１００において画像Ｍを表示する表示部１１０を示す模式図である。表示部１１０は、画像領域Ｒ１、画像領域Ｒ２および画像領域Ｒ３を含む画像Ｍを表示する。画像領域Ｒ１は、画像Ｍの左側上方に配置され、額縁に収められた人の絵の画像を示す領域である。画像領域Ｒ２は、画像Ｍの右側上方に配置され、額縁に収められた別の人の絵の画像を示す領域である。画像領域Ｒ３は、画像Ｍの中央部下方に配置された消火器の画像を示す領域である。
【００２７】
図３は、本実施形態の表示装置１００において選択候補範囲ＣＳの割り当てられた画像Ｍを表示する表示部１１０を示す模式図である。図３では、画像Ｍに複数の選択候補範囲ＣＳが割り当てられる。例えば、操作者は、図１に示した検出部１３０を介して、画像Ｍに対する複数の選択候補範囲ＣＳの割当を入力でき、割当部１２２は、画像Ｍに複数の選択候補範囲ＣＳを割り当てる。
【００２８】
例えば、割当部１２２は、画像Ｍに、複数の行および複数の列からなるマトリクス状に複数の選択候補範囲ＣＳを割り当てる。ここでは、割当部１２２は、画像Ｍに、８行８列の選択候補範囲ＣＳを割り当てる。なお、画像Ｍにおいて、行方向の長さは列方向の長さよりも長い。同様に、各選択候補範囲ＣＳにおいて、行方向の長さは列方向の長さよりも長い。
【００２９】
図４は、本実施形態の表示装置１００において選択範囲ＳＲの設定された画像Ｍを表示する表示部１１０を示す模式図である。ここでは、複数の選択候補範囲ＣＳのうち画像領域Ｒ２を含む右側上方の５行３列の選択候補範囲ＣＳが選択範囲ＳＲとして設定される。操作者は、図１に示した検出部１３０を介して、複数の選択候補範囲ＣＳのうちの右側上方の５行３列の選択候補範囲ＣＳを選択範囲ＳＲとして設定する。設定部１２４は、画像Ｍに割り当てられた右側上方の５行３列の選択候補範囲ＣＳを選択範囲ＳＲとして設定する。以上のようにして、画像Ｍに選択範囲ＳＲが設定される。
【００３０】
ここで、図１、図４および図５を参照して本実施形態の表示装置１００における選択範囲の設定を説明する。図５（ａ）は、第１操作の行われた本実施形態の表示装置１００を示す模式図であり、図５（ｂ）は、第２操作の行われた本実施形態の表示装置１００を示す模式図である。
【００３１】
ここでは、操作者が検出部１３０に対して第１操作を行うのに先立ち、選択範囲ＳＲが設定されている。具体的には、図４と同様に、複数の選択候補範囲ＣＳのうち画像領域Ｒ２を含む右側上方の５行３列の選択候補範囲ＣＳが選択範囲ＳＲとして設定される。
【００３２】
図５（ａ）に示すように、複数の選択候補範囲のうちのいずれかの選択候補範囲に対して第１操作が行われる。例えば、操作者は、複数の選択候補範囲のうちの特定の選択候補範囲に対して第１操作を行う。一例では、第１操作としてタップ操作が行われる。第１操作としてタップ操作は、シングルタップ操作であってもよく、ダブルタップ操作であってもよい。ここでは、第１操作の行われた特定の選択候補範囲は、元々選択範囲ＳＲとして設定されていなかった選択候補範囲である。
【００３３】
検出部１３０は特定の選択候補範囲に対して第１操作が行われたことを検出する。一例として、検出部１３０がタッチセンサーを含む場合、操作者が第１操作として特定の選択候補範囲をタッチすると、タッチセンサーは特定の選択候補範囲がタッチされたことを検出する。
【００３４】
設定部１２４は、第１操作の行われた選択候補範囲の設定を切り替える。ここでは、第１操作の行われた選択候補範囲は元々選択範囲として設定されていなかったため、設定部１２４は、第１操作の行われた選択候補範囲を選択範囲として設定する。
【００３５】
図５（ｂ）に示すように、第１操作の後、第２操作が行われる。例えば、操作者は、第１操作の後、特定の選択候補範囲からある方向に向かって第２操作を行う。ここでは、第２操作として左方向のフリック操作が行われる。
【００３６】
検出部１３０は、第１操作の行われた特定の選択候補範囲から特定の方向に第２操作が行われたことを検出する。一例として、検出部１３０がタッチセンサーを含む場合、タッチセンサーは、第２操作として特定の方向に指が動かされたことを検出する。例えば、タッチセンサーは、第１操作として操作者の指が特定の選択候補範囲にタッチした後、操作者の指がタッチセンサーから離れることなく第２操作として特定の方向に指が動かされたことを検出することが好ましい。
【００３７】
設定部１２４は、複数の選択候補範囲ＣＳのうち特定の選択候補範囲から特定の方向に位置する選択候補範囲を特定し、特定の方向に位置する選択候補範囲についての選択範囲の設定を特定の選択候補範囲の設定と同じように切り替える。第２操作によって特定される選択候補範囲は複数であることが好ましい。
【００３８】
ここでは、第２操作の行われた方向に位置するすべての選択候補範囲に対して選択範囲の設定が切り替えられる。また、ここでは、第２操作の行われた方向に位置する選択候補範囲は元々選択範囲として設定されていなかったため、設定部１２４は、特定の方向に位置する選択候補範囲を選択範囲として設定する。具体的には、第２操作により、第１操作によって選択範囲の設定の切り替えられた特定の選択候補範囲を除き、７個の選択候補範囲に対して選択範囲の設定が切り替えられ、選択範囲として設定される。以上のように、一連の操作により、複数の選択候補範囲に対する選択範囲の設定を容易に切り替えることができる。
【００３９】
なお、図１および図５を参照した説明では、第２操作は、マトリクス状に割り当てられた複数の選択候補範囲ＣＳの行方向に沿って行われたが、本発明はこれに限定されない。第２操作は、マトリクス状に割り当てられた複数の選択候補範囲ＣＳの列方向に沿って行われてもよい。
【００４０】
また、操作者による第２操作は、第１操作の行われた特定の選択候補範囲のみに行われてもよい。あるいは、操作者による第２操作は、第１操作の行われた特定の選択候補範囲から１つまたは２つの選択候補範囲のみに対して行われてもよい。
【００４１】
次に、図１および図６を参照して本実施形態の表示装置１００における選択範囲の設定を説明する。図６（ａ）は、第１操作の行われた本実施形態の表示装置１００を示す模式図であり、図６（ｂ）は、第２操作の行われた本実施形態の表示装置１００を示す模式図である。
【００４２】
図５と同様に、ここでも、操作者が検出部１３０に対して第１操作を行うのに先立ち、選択範囲ＳＲが設定されている。具体的には、図４と同様に、複数の選択候補範囲ＣＳのうち画像領域Ｒ２を含む右側上方の５行３列の選択候補範囲ＣＳが選択範囲ＳＲとして設定される。
【００４３】
図６（ａ）に示すように、選択範囲ＳＲとして設定されていた複数の選択候補範囲ＣＳのうちのいずれかの選択候補範囲に対して第１操作が行われる。例えば、操作者は、第１操作により、元々選択範囲ＳＲとして設定されていた１つの選択候補範囲を特定する。検出部１３０は特定の選択候補範囲に対して第１操作が行われたことを検出する。一例として、検出部１３０がタッチセンサーを含む場合、操作者が第１操作として特定の選択候補範囲をタッチすると、タッチセンサーは特定の選択候補範囲がタッチされたことを検出する。
【００４４】
設定部１２４は、複数の選択候補範囲ＣＳのうち特定の選択候補範囲から特定の方向に位置する選択候補範囲を特定し、特定の方向に位置する選択候補範囲についての選択範囲の設定を特定の選択候補範囲の設定と同じように切り替える。ここでは、第１操作の行われた選択候補範囲は元々選択範囲ＳＲとして設定されていたため、設定部１２４は、第１操作の行われた特定の選択候補範囲を選択範囲ＳＲから解除する。
【００４５】
図６（ｂ）に示すように、第１操作の後、第２操作が行われる。例えば、操作者は、第１操作の後、第１操作の行われた特定の選択候補範囲からある方向に向かって第２操作を行う。ここでは、第２操作として左方向のフリック操作が行われる。
【００４６】
検出部１３０は第１操作の行われた特定の選択候補範囲から特定の方向に第２操作が行われたことを検出する。一例として、検出部１３０がタッチセンサーを含む場合、操作者は第２操作として特定の方向に指を動かすと、タッチセンサーは特定の方向に指が動かされたことを検出する。
【００４７】
設定部１２４は、第２操作の行われた特定の方向の位置する選択候補範囲を特定し、特定の方向の位置する選択候補範囲の設定を切り替える。第２操作によって特定される選択候補範囲は複数であることが好ましい。ここでは、第２操作の行われた選択候補範囲の一部は選択範囲として設定されていたため、設定部１２４は、第２操作の行われた選択候補範囲に対して選択範囲の設定を解除する。具体的には、第２操作により、第１操作によって選択範囲の設定の切り替えられた特定の選択候補範囲を除き、２個の選択候補範囲について選択範囲としての設定が解除される。以上のように、一連の操作により、複数の選択候補範囲に対する選択範囲の設定を容易に切り替えることができる。
【００４８】
なお、図１、図４から図６を参照した上述の説明では、第２操作により、特定の選択候補範囲から所定の方向に位置するすべての選択候補範囲が、第１操作によって操作された特定の選択候補範囲と同じ設定になるように選択範囲の設定が切り替えられたが、本発明はこれに限定されない。第２操作に応じて、特定の選択候補範囲から所定の方向に位置するいくつかの選択候補範囲に対して、第１操作によって操作された特定の選択候補範囲と同じ設定になるように選択範囲の設定が切り替えられてもよい。
【００４９】
ここで、図１および図７を参照して本実施形態の表示装置１００における選択候補範囲の設定を説明する。図７（ａ）は、第１操作の行われた本実施形態の表示装置１００を示す模式図であり、図７（ｂ）は、第２操作の行われた本実施形態の表示装置１００を示す模式図である。
【００５０】
図５および図６と同様に、ここでも、操作者が検出部１３０に対して第１操作を行うのに先立ち、選択範囲ＳＲが設定されている。具体的には、図４と同様に、複数の選択候補範囲ＣＳのうち画像領域Ｒ２を含む右側上方の５行３列の選択候補範囲ＣＳが選択範囲ＳＲとして設定される。
【００５１】
図７（ａ）に示すように、複数の選択候補範囲のうちのいずれかの選択候補範囲に対して第１操作が行われる。例えば、操作者は、複数の選択候補範囲のうちの特定の選択候補範囲に対して第１操作を行う。一例では、第１操作としてタップ操作が行われる。ここでは、第１操作の行われた特定の選択候補範囲は、元々選択範囲ＳＲとして設定されていなかった選択候補範囲である。
【００５２】
設定部１２４は、第１操作の行われた選択候補範囲の設定を切り替える。ここでは、第１操作の行われた選択候補範囲は元々選択範囲として設定されていなかったため、設定部１２４は、第１操作の行われた選択候補範囲を選択範囲として設定する。
【００５３】
図７（ｂ）に示すように、第１操作の後、第２操作が行われる。例えば、操作者は、第１操作の後、特定の選択候補範囲からある方向に向かって第２操作を行う。ここでは、第２操作として左方向のフリック操作が行われ、フリック操作は、特定の選択候補範囲から左方向（行方向）に２個ずれた選択候補範囲まで行われる。検出部１３０は、第１操作の行われた特定の選択候補範囲から特定の方向に２個ずれた選択候補範囲まで第２操作が行われたことを検出する。
【００５４】
設定部１２４は、複数の選択候補範囲ＣＳのうち特定の選択候補範囲から特定の方向に位置する２つの選択候補範囲を特定し、特定の方向に位置する２つの選択候補範囲についての選択範囲の設定を特定の選択候補範囲の設定と同じように切り替える。第２操作によって特定される選択候補範囲は複数であることが好ましい。
【００５５】
ここでは、第２操作の行われた方向に位置する選択候補範囲は元々選択範囲として設定されていなかったため、設定部１２４は、特定の方向に位置する選択候補範囲を選択範囲として設定する。具体的には、第２操作により、第１操作によって特定された選択候補範囲を除き、２個の選択候補範囲が選択範囲として設定される。このようにして、第２操作の終了位置により、複数の選択候補範囲に対する選択範囲の設定を容易に切り替えることができる。
【００５６】
なお、図１および図７を参照した上述の説明では、第２操作の終了位置は、選択範囲として設定されていなかった選択候補範囲を選択範囲に設定するために用いられたが、本発明はこれに限定されない。第２操作の終了位置は、選択範囲として設定されていた選択候補範囲が選択範囲から解除するために用いられてもよい。
【００５７】
なお、図１および図４から図７を参照した上述の説明では、第１操作では、操作された特定の選択候補範囲に対して操作前の選択範囲の設定を切り替えたが、本発明はこれに限定されない。第１操作では、ある操作が行われた場合、特定の選択候補範囲を選択範囲として設定する一方で、別の操作が行われた場合、特定の選択候補範囲を選択範囲から解除してもよい。
【００５８】
ここで、図１および図８を参照して本実施形態の表示装置１００における選択候補範囲の設定を説明する。図８（ａ）は、第１操作としてある操作の行われた表示装置１００を示す模式図であり、図８（ｂ）は、第１操作として別の操作の行われた表示装置１００を示す模式図である。
【００５９】
図８（ａ）に示すように、特定の選択候補範囲に対して第１操作としてシングルタップ操作が行われる。検出部１３０は、特定の選択候補範囲に第１操作としてシングルタップ操作が行われたことを検出する。この場合、設定部１２４は、操作前の選択範囲の設定に関わらず、第１操作の行われた特定の選択候補範囲を選択範囲として設定する。
【００６０】
図８（ｂ）に示すように、特定の選択候補範囲に対して第１操作としてダブルタップ操作が行われる。検出部１３０は、特定の選択候補範囲に第１操作としてダブルタップ操作が行われたことを検出する。この場合、設定部１２４は、操作前の選択範囲の設定に関わらず、第１操作の行われた特定の選択候補範囲に対する選択範囲の設定を解除する。したがって、操作者は、第１操作の内容に応じて、特定の選択候補範囲に選択範囲をより確実に設定できる。
【００６１】
なお、図１、図４から図７を参照した上述の説明では、第２操作は選択候補範囲の割り当てられた行方向または列方向に沿って行われたが、本発明はこれに限定されない。第２操作は選択候補範囲の割り当てられた行方向または列方向に対して斜め方向に行われてもよい。
【００６２】
ここで、図１および図９を参照して本実施形態の表示装置１００における選択候補範囲の設定を説明する。図９（ａ）は、第１操作の行われた本実施形態の表示装置を示す模式図であり、図９（ｂ）は、第２操作の行われた本実施形態の表示装置を示す模式図である。
【００６３】
図９（ａ）に示すように、複数の選択候補範囲のうちのいずれかの選択候補範囲に対して第１操作が行われる。例えば、操作者は、複数の選択候補範囲のうちの１つの選択候補範囲を第１操作によって特定される。ここでは、割当部１２２は、画像Ｍに対して、複数の選択候補範囲ＣＳを複数の行および複数の列に配列されたマトリクス状に割り当てる。
【００６４】
操作者は、選択候補範囲の１つに対して第１操作を行う。ここでは、第１操作としてタップ操作が行われる。例えば、操作者は、第１操作により、元々選択範囲として設定されていなかった１つの選択候補範囲を特定する。検出部１３０は特定の選択候補範囲に対して第１操作が行われたことを検出する。一例として、検出部１３０がタッチセンサーを含む場合、操作者は第１操作として特定の選択候補範囲をタッチすると、タッチセンサーは特定の選択候補範囲がタッチされたことを検出する。
【００６５】
設定部１２４は、第１操作の行われた選択候補範囲の設定を切り替える。ここでは、第１操作の行われた選択候補範囲は元々選択範囲として設定されていなかったため、設定部１２４は、第１操作の行われた選択候補範囲を選択範囲として設定する。
【００６６】
図９（ｂ）に示すように、第１操作の後、第２操作が行われる。例えば、操作者は、第１操作の後、第１操作の行われた選択候補範囲からある方向に向かって第２操作を行う。ここでは、第２操作として斜め方向のフリック操作が行われる。
【００６７】
検出部１３０は第１操作の行われた特定の選択候補範囲から斜め方向に第２操作が行われたことを検出する。一例として、検出部１３０がタッチセンサーを含む場合、操作者は第２操作として特定の方向に指を動かすと、タッチセンサーは特定の方向に指が動かされたことを検出する。
【００６８】
設定部１２４は、第２操作の行われた特定の方向に位置する選択候補範囲を特定し、特定された選択候補範囲の設定を切り替える。第２操作によって特定される選択候補範囲は複数であることが好ましい。ここでは、第２操作の行われた選択候補範囲は元々選択範囲として設定されていなかったため、設定部１２４は、第２操作の行われた選択候補範囲が選択範囲として設定される。具体的には、第２操作により、第１操作によって特定された選択候補範囲を除き、３個の選択候補範囲が選択範囲として設定される。
【００６９】
以上のように、検出部１３０が、第２操作の行われた方向が斜め方向であることを検出する場合、設定部１２４は、特定の選択候補範囲から、所定の方向に位置する選択候補範囲について特定の選択候補範囲と同じ設定になるように選択範囲としての設定を切り替える。このため、一連の操作により、複数の選択候補範囲に対する選択範囲の設定を容易に切り替えることができる。
【００７０】
なお、図１および図９を参照した上述の説明では、斜め方向に第２操作が行われた場合、特定の選択候補範囲に対して斜め方向の直線上に位置する選択候補範囲が選択範囲の設定を切り替える対象として選択されたが、本発明はこれに限定されない。斜め方向に第２操作が行われた場合、斜め方向によって特定される行および列に含まれる選択候補範囲が選択範囲の設定を切り替える対象として選択されてもよい。
【００７１】
ここで、図１および図１０を参照して本実施形態の表示装置１００における選択候補範囲の設定を説明する。図１０（ａ）は、第１操作の行われた本実施形態の表示装置を示す模式図であり、図１０（ｂ）は、第２操作の行われた本実施形態の表示装置を示す模式図である。
【００７２】
図１０（ａ）に示すように、複数の選択候補範囲のうちのいずれかの選択候補範囲に対して第１操作が行われる。例えば、操作者は、複数の選択候補範囲のうちの１つの選択候補範囲を第１操作によって特定される。ここでは、割当部１２２は、画像Ｍに対して、複数の選択候補範囲ＣＳを複数の行および複数の列に配列されたマトリクス状に割り当てる。
【００７３】
例えば、操作者は、選択候補範囲の１つに対して第１操作を行う。ここでは、第１操作としてタップ操作が行われる。例えば、操作者は、第１操作により、元々選択範囲として設定されていなかった１つの選択候補範囲を特定する。検出部１３０は特定の選択候補範囲に対して第１操作が行われたことを検出する。一例として、検出部１３０がタッチセンサーを含む場合、操作者は第１操作として特定の選択候補範囲をタッチすると、タッチセンサーは特定の選択候補範囲がタッチされたことを検出する。
【００７４】
設定部１２４は、第１操作の行われた選択候補範囲の設定を切り替える。ここでは、第１操作の行われた選択候補範囲は元々選択範囲として設定されていなかったため、設定部１２４は、第１操作の行われた選択候補範囲を選択範囲として設定する。
【００７５】
図１０（ｂ）に示すように、第１操作の後、第２操作が行われる。例えば、操作者は、第１操作の後、第１操作の行われた選択候補範囲からある方向に向かって第２操作を行う。ここでは、第２操作として斜め方向のフリック操作が行われる。
【００７６】
検出部１３０は第１操作の行われた特定の選択候補範囲から斜め方向に第２操作が行われたことを検出する。一例として、検出部１３０がタッチセンサーを含む場合、操作者は第２操作として特定の方向に指を動かすと、タッチセンサーは特定の方向に指が動かされたことを検出する。
【００７７】
設定部１２４は、第２操作の方向に位置する選択候補範囲を特定し、特定された選択候補範囲の設定を切り替える。第２操作の方向に位置する選択候補範囲は複数であることが好ましい。検出部１３０が、第２操作の行われた所定の方向が斜め方向であることを検出する場合、設定部１２４は、特定の選択候補範囲から、所定の方向に応じて規定されるいくつかの行およびいくつかの列に含まれる選択候補範囲に対して特定の選択候補範囲と同じ設定になるように選択範囲としての設定を切り替える。
【００７８】
具体的には、設定部１２４は、特定の選択候補範囲から斜め方向の最後の端部に位置する選択候補範囲は、特定の選択候補範囲に対して下側３行および左側３列離れており、特定の選択候補範囲から、所定の方向に応じて選択される複数の行のうちの下側３行および左側３列に含まれる選択候補範囲について特定の選択候補範囲と同じ設定になるように選択範囲としての設定を切り替える。
【００７９】
ここでは、第２操作の行われた選択候補範囲は元々選択範囲として設定されていなかったため、設定部１２４は、第２操作の行われた選択候補範囲が選択範囲として設定される。具体的には、第２操作により、第１操作によって特定された選択候補範囲を除き、１５個の選択候補範囲が選択範囲として設定される。このため、一連の操作により、複数の選択候補範囲に対する選択範囲の設定を容易に切り替えることができる。
【００８０】
なお、図１から図１０を参照した上述の説明では、第１操作の行われた特定の選択候補範囲に対して第２操作の行われた方向に位置する選択候補範囲がすべて選択されたが、本発明はこれに限定されない。第１操作の行われた特定の選択候補範囲に対して第２操作の行われた方向に位置する選択候補範囲は、第２操作の終了位置を用いて選択されてもよい。例えば、図１０に示したように、第２操作の終了位置が第１操作の行われた特定の選択候補範囲に対して下側１行および左側１列ずれている場合、設定部１２４は、第１操作によって特定された選択候補範囲を除き、３個の選択候補範囲を選択範囲として設定してもよい。
【００８１】
また、図１から図１０を参照した上述の説明では、選択範囲の設定の切り替えは、選択候補範囲ごとに行われたが、本発明はこれに限定されない。選択範囲の設定の切り替えは、選択候補範囲の一部の領域に対して行われてもよい。
【００８２】
ここで、図１および図１１を参照して本実施形態の表示装置１００における選択範囲の設定を説明する。ここでは、上述の第１操作および第２操作とは別の第３操作により、選択候補範囲の一部の領域に応じて選択範囲の設定が切り替えられる。図１１（ａ）は、第３操作の行われる直前の本実施形態の表示装置を示す模式図であり、図１１（ｂ）は、第３操作の行われている途中の本実施形態の表示装置を示す模式図であり、図１１（ｃ）は、第３操作の行われた後の本実施形態の表示装置を示す模式図である。
【００８３】
図１１（ａ）に示すように、複数の選択候補範囲のうちのいずれかの選択候補範囲に対して第３操作が行われる。例えば、操作者は、複数の選択候補範囲のうちの１つの選択候補範囲に対して第３操作を行う。
【００８４】
ここでは、選択範囲ＳＲとして設定された複数の選択候補範囲ＣＳとは別の選択候補範囲が第３操作により特定される。例えば、操作者は、選択候補範囲の１つに対して第３操作を行う。ここでは、第３操作として長押し操作が行われる。
【００８５】
検出部１３０は、選択候補範囲に対して第３操作が行われていることを検出する。ここでは、操作者は、元々選択範囲として設定されていなかった１つの選択候補範囲に対して第３操作を行い、検出部１３０は特定の選択候補範囲に対して第３操作が行われたことを検出する。
【００８６】
なお、検出部１３０は、操作の行われる時間に応じて第１操作および第３操作を異なる操作として検出してもよい。例えば、検出部１３０は、操作者によって特定の選択候補範囲が特定された期間が１秒未満である場合、検出部１３０は上記操作を第１操作として検出してもよい。一方、検出部１３０は、操作者によって特定の選択候補範囲が特定された期間が１秒以上である場合、検出部１３０は第３操作が行われたと検出してもよい。
【００８７】
検出部１３０がタッチセンサーを含む場合、検出部１３０は、操作者が特定の選択候補範囲にタッチした期間に応じて第１操作および第３操作を異なる操作として検出する。一例として、検出部１３０は、操作者が特定の選択候補範囲にタッチした期間が１秒未満である場合、検出部１３０は上記操作を第１操作として検出してもよい。一方、検出部１３０は、操作者が特定の選択候補範囲にタッチした期間が１秒以上である場合、検出部１３０は上記操作を第３操作として検出してもよい。
【００８８】
あるいは、検出部１３０がキーボードおよび／またはマウスを含む場合、検出部１３０は、操作者が特定の選択候補範囲を選択して特定のボタンが押された場合、ボタンの押された期間に応じて第１操作および第３操作を異なる操作として検出する。一例として、検出部１３０は、操作者が特定の選択候補範囲を選択して特定のボタンを押した期間が１秒未満である場合、検出部１３０は上記操作を第１操作として検出してもよい。一方、検出部１３０は、操作者が特定の選択候補範囲を選択して特定のボタンを押した期間が１秒以上である場合、検出部１３０は上記操作を第３操作として検出してもよい。
【００８９】
図１１（ｂ）に示すように、第３操作に応じて第３操作の行われた選択候補範囲の一部の領域について選択範囲の設定を切り替える。検出部１３０が、複数の選択候補範囲のうちのいずれかの選択候補範囲に対して第３操作が行われていることを検出した場合、設定部１２４は、第３操作の行われた選択候補範囲の一部の領域を選択範囲として設定する。
【００９０】
ここでは、第３操作の行われた選択候補範囲は元々選択範囲として設定されていなかったため、設定部１２４は、第３操作の行われた選択候補範囲の領域の一部を選択範囲として設定する。なお、第３操作によって選択範囲の設定を切り替えられる選択候補範囲の一部の領域は、第３操作に応じて異なってもよい。ここでは、選択候補範囲の左側の一部が選択範囲として設定される。
【００９１】
検出部１３０が第３操作を検出した場合、設定部１２４は、第３操作の行われた操作時間を計測してもよい。設定部１２４は、第３操作の操作時間に応じて、第３操作の行われた選択候補範囲のうち選択範囲として設定する領域を増大する。例えば、第３操作が３秒間行われると、設定部１２４は、第３操作の行われた選択候補範囲の領域のうちの１／４を選択範囲として設定する。
【００９２】
図１１（ｃ）に示すように、第３操作の操作時間に応じて、第３操作の行われた選択候補範囲のうち選択範囲として設定する領域を増大する。例えば、第３操作が５秒間行われると、設定部１２４は、第３操作の行われた選択候補範囲の領域のうちの１／２を選択範囲として設定する。以上のようにして、選択候補範囲に対して部分的に選択範囲の設定を切り替えできる。
【００９３】
なお、図１および図１１を参照した上述の説明では、第３操作によって選択範囲の設定を切り替えられる選択候補範囲の一部の領域は、第３操作の操作時間によって変動したが、本発明はこれに限定されない。第３操作によって選択範囲の設定を切り替えられる選択候補範囲の一部の領域は、第３操作の操作時間に関わらず一定であってもよい。
【００９４】
また、図１および図１１を参照した上述の説明では、検出部１３０は元々選択範囲として設定されていなかった選択候補範囲に対して第３操作が行われたことを検出したが、本発明はこれに限定されない。検出部１３０は元々選択範囲として設定されていた選択候補範囲に対して第３操作が行われたことを検出してもよい。この場合、設定部１２４は、第３操作の行われた選択候補範囲の領域の一部を選択範囲から解除してもよい。
【００９５】
ここで、図１および図１２を参照して本実施形態の表示装置１００における選択候補範囲の割当および操作の設定を説明する。図１２は、本実施形態の表示装置１００における選択候補範囲の割当および操作の設定を示すフローチャートである。
【００９６】
まず、画像を表示する（Ｓ１２０２）。例えば、表示部１１０は、記憶部１４０に記憶された画像データに基づいて画像を表示する。
【００９７】
次に、画像に対する複数の選択候補範囲ＣＳの割当を設定する（Ｓ１２０４）。検出部１３０は、操作者による複数の選択候補範囲ＣＳの入力を検出する。例えば、検出部１３０は、画像を選択候補範囲ＣＳに分割して割り当てるための行数および列数が入力されたことを検出する。一例として、検出部１３０が、画像を分割する行数および列数をそれぞれ８と入力されたことを検出することにより、割当部１２２は、図３に示したように、画像Ｍを８行８列からなる６４個の選択候補範囲ＣＳに割り当てる。記憶部１４０は、複数の選択候補範囲ＣＳの割当を記憶する。
【００９８】
次に、第１操作を設定する（Ｓ１２０６）。操作者は、検出部１３０を介して第１操作を設定する。一例として、表示部１１０が第１操作の設定画面を表示し、操作者の第１操作の設定を受け付ける。検出部１３０が操作者の操作を検出することにより、操作者の行った操作が第１操作として設定される。例えば、第１操作はタップ操作である。
【００９９】
検出部１３０が表示部１１０に含まれるディスプレーに取り付けられたタッチセンサーを含む場合、検出部１３０は、操作者がタッチセンサー上に行った第１操作を検出し、記憶部１４０は、第１操作を記憶する。あるいは、検出部１３０がキーボードまたはマウスを含む場合、検出部１３０は、操作者がキーボードおよび／またはマウスで行った第１操作を検出し、記憶部１４０は第１操作を記憶する。以上のようにして、第１操作を設定できる。
【０１００】
次に、第２操作を設定する（Ｓ１２０８）。操作者は、検出部１３０を介して第２操作を設定する。第２操作は方向を示す操作である。一例として、表示部１１０が第２操作の設定画面を表示し、操作者の第２操作の設定を受け付ける。検出部１３０が操作者の操作を検出することにより、操作者の行った操作が第２操作として設定される。なお、検出部１３０は、第２操作として検出する方向を制限してもよい。例えば、検出部１３０は、上方向への操作または下方向への操作を第２操作として検出し、右方向への操作または左方向への操作を第２操作として検出しなくてもよい。
【０１０１】
検出部１３０が表示部１１０に含まれるディスプレーに取り付けられたタッチセンサーを含む場合、検出部１３０は、操作者がタッチセンサー上に行った第２操作を検出し、記憶部１４０は、第２操作を記憶する。あるいは、検出部１３０がキーボードまたはマウスを含む場合、検出部１３０は、操作者がキーボードおよび／またはマウスで行った第２操作を検出し、記憶部１４０は第２操作を記憶する。以上のようにして、第２操作を設定できる。以上のようにして、表示装置１００では、第１操作および第２操作を設定できる。
【０１０２】
ここで、図１および図１３を参照して本実施形態の表示装置１００における選択範囲の設定を説明する。図１３は、本実施形態の表示装置１００における選択範囲の設定を示すフローチャートである。
【０１０３】
まず、画像を表示する（Ｓ１３０２）。例えば、表示部１１０は、記憶部１４０に記憶された画像データに基づいて画像を表示する。なお、表示部１１０は、画像とともに、割当部１２２によって割り当てられた選択候補範囲を表示することが好ましい。
【０１０４】
次に、制御部１２０は、検出部１３０が第１操作を検出したか否かを判定する（Ｓ１３０４）。制御部１２０は、検出部１３０が第１操作を検出していないと判定した場合（Ｓ１３０４においてＮｏ）、制御部１２０は、検出部１３０が第１操作を検出するまで判定を繰り返す。制御部１２０は、検出部１３０が第１操作を検出したと判定した場合（Ｓ１３０４においてＹｅｓ）、設定部１２４は、第１操作の行われた特定の選択候補範囲に対する選択範囲の設定を切り替える（Ｓ１３０６）。
【０１０５】
その後、制御部１２０は、検出部１３０が第２操作を検出したか否かを判定する（Ｓ１３０８）。例えば、制御部１２０は、検出部１３０が第１操作を検出した後、第２操作を検出したか否かを判定する（Ｓ１３０８）。制御部１２０は、検出部１３０が第２操作を検出していないと判定した場合（Ｓ１３０８においてＮｏ）、制御部１２０は、選択範囲の設定を終了する。
【０１０６】
制御部１２０は、検出部１３０が第２操作を検出したと判定した場合（Ｓ１３０８においてＹｅｓ）、設定部１２４は、第２操作の行われた方向に位置する選択候補範囲に対する選択範囲の設定を切り替える（Ｓ１３０８）。以上のようにして、表示装置１００は選択範囲を設定できる。
【０１０７】
なお、本実施形態の表示装置１００は監視システムにおいて好適に用いられる。以下、図１４を参照して表示装置１００を備える監視システム２００を説明する。
【０１０８】
監視システム２００は、撮像装置２１０と、制御装置２２０とを備える。撮像装置２１０は、撮像領域を撮像して撮像画像を示す撮像画像データを生成する。撮像装置２１０によって撮像される撮像画像は、動画であってもよく、静止画であってもよい。制御装置２２０は、撮像装置２１０を制御する。例えば、制御装置２２０は、撮像装置２１０から離れて配置される。制御装置２２０は、例えば、サーバーである。
【０１０９】
撮像装置２１０は、撮像素子２１１と、カメラ通信部２１２と、カメラ記憶部２１３と、カメラ制御部２１４とを備える。カメラ制御部２１４は、撮像素子２１１およびカメラ通信部２１２を制御する。
【０１１０】
撮像素子２１１は、撮像領域を撮像する。撮像素子２１１は、撮像画像を示す撮像画像データを生成し、カメラ制御部２１４へ送信する。撮像素子２１１は、例えば、電荷結合素子（Ｃｈａｒｇｅ  Ｃｏｕｐｌｅｄ  Ｄｅｖｉｃｅ：ＣＣＤ）イメージセンサー、または、相補型ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）イメージセンサーを含む。
【０１１１】
カメラ通信部２１２は、同じ通信方式（プロトコル）を利用する通信機が搭載された電子機器との間で通信可能である。カメラ通信部２１２は、ローカルエリアネットワーク（Ｌｏｃａｌ  Ａｒｅａ  Ｎｅｔｗｏｒｋ：ＬＡＮ）などのネットワーク網を介して制御装置２２０と通信する。カメラ通信部２１２は、例えば、ＬＡＮボードのような通信モジュール（通信機器）である。本実施形態において、カメラ通信部２１２は、撮像画像データを制御装置２２０へ送信する。
【０１１２】
カメラ記憶部２１３は、各種データを記憶する。カメラ記憶部２１３は、半導体メモリーによって構成される。半導体メモリーは、例えば、ＲＡＭおよびＲＯＭを含む。
【０１１３】
カメラ記憶部２１３は、カメラ制御プログラムを記憶する。また、カメラ記憶部２１３は、撮像素子２１１の生成した撮像画像データを一旦記憶する。さらに、カメラ記憶部２１３は、不要になれば、記憶した撮像画像データを消去する。
【０１１４】
カメラ制御部２１４は、カメラ記憶部２１３に記憶されたカメラ制御プログラムを実行することによって、撮像装置２１０の各構成要素の動作を制御する。カメラ制御部２１４は、プロセッサーを含む。プロセッサーは、中央処理演算機（Ｃｅｎｔｒａｌ  Ｐｒｏｃｅｓｓｉｎｇ  Ｕｎｉｔ：ＣＰＵ）を含んでもよい。あるいは、プロセッサーは、マイクロコンピューターを含んでもよい。または、プロセッサーは特定用途用集積回路を含んでもよい。
【０１１５】
カメラ制御部２１４は、撮像画像データに基づいて、撮像画像のうちの検知範囲の変化を検知する。検知範囲を示すデータは、カメラ記憶部２１３に記憶される。カメラ制御部２１４は、例えば、背景差分法によって、撮像画像の検知範囲の変化を検知する。あるいは、カメラ制御部２１４は、隣接フレーム間差分法によって、撮像画像の検知範囲の変化を検知する。検知範囲は、例えば、監視システム２００の管理者によって予め設定される。カメラ制御部２１４は、撮像画像のうちの検知範囲の変化を検知すると、変化検知データを制御装置２２０へ送信する。変化検知データは、撮像画像のうちの検知範囲において変化の検知された撮像画像データを示す。
【０１１６】
制御装置２２０は、表示部１１０と、検出部１３０と、装置通信部２２１と、装置記憶部２２２と、装置制御部２２３とを備える。装置制御部２２３は、表示部１１０および装置通信部２２１を制御する。
【０１１７】
装置通信部２２１は、同じ通信方式（プロトコル）を利用する通信機が搭載された電子機器との間で通信可能である。装置通信部２２１は、ＬＡＮなどのネットワーク網を介してカメラ通信部２１２と通信する。装置通信部２２１は、例えば、ＬＡＮボードのような通信モジュール（通信機器）である。本実施形態において、装置通信部２２１は、撮像画像データをカメラ通信部２１２から受信する。また、装置通信部２２１は、カメラ制御部２１４が撮像画像の変化を検知すると、変化検知データをカメラ通信部２１２から受信する。
【０１１８】
検出部１３０は、制御装置２２０に対する操作者の操作を検出する。本実施形態において、検出部１３０は、タッチセンサーを含む。あるいは、検出部１３０は、キーボードおよび／またはマウスを含む。
【０１１９】
表示部１１０は、装置通信部２２１の受信した撮像画像データに基づく撮像画像を表示する。本実施形態において、表示部１１０は液晶ディスプレーを含む。
【０１２０】
装置記憶部２２２は、各種データを記憶する。装置記憶部２２２は、ストレージデバイスおよび半導体メモリーによって構成される。ストレージデバイスは、例えば、ＨＤＤおよび／またはＳＳＤを含む。半導体メモリーは、例えば、ＲＡＭおよびＲＯＭを含む。
【０１２１】
装置記憶部２２２は、装置制御プログラムを記憶する。また、装置記憶部２２２は、装置通信部２２１がカメラ通信部２１２から受信した撮像画像データを記憶する。また、装置記憶部２２２は、装置通信部２２１がカメラ通信部２１２から受信した変化検知データを記憶する。
【０１２２】
装置記憶部２２２は、さらに、被検知体画像データを記憶してもよい。被検知体画像データは、管理者が予め設定した検知対象である被検知体の画像を示す。
【０１２３】
装置記憶部２２２は、基準背景データを記憶してもよい。基準背景データは、撮像画像の基準となる基準背景画像を示す。例えば、基準背景画像は、撮像素子２１１の撮像する撮像領域内に被検知体が存在する前の状態の背景画像を示す。あるいは、基準背景画像は、撮像素子２１１の撮像する撮像領域内に被検知体が設置された状態の背景画像を示す。
【０１２４】
また、装置記憶部２２２は、図１を参照して上述した記憶部１４０をさらに含む。記憶部１４０は、表示部１１０を制御するプログラムを記憶する。
【０１２５】
装置制御部２２３は、装置記憶部２２２に記憶された装置制御プログラムを実行することによって制御装置２２０が備える各部の動作を制御する。装置制御部２２３は、プロセッサーを含む。プロセッサーは、中央処理演算機を含んでもよい。あるいは、プロセッサーは、マイクロコンピューターを含んでもよい。または、プロセッサーは特定用途用集積回路を含んでもよい。
【０１２６】
装置制御部２２３は、管理者による検知範囲の設定を受け付ける。装置制御部２２３は、例えば、表示部１１０に検知範囲を設定するための設定画面を表示させる。管理者は、設定画面が表示されている際に、検出部１３０を操作することにより、検知範囲を設定する。検知範囲を示すデータは、装置通信部２２１を介してカメラ通信部２１２へ送信される。カメラ制御部２１４は、カメラ通信部２１２が検知範囲を示すデータを受信すると、カメラ記憶部２１３に検知範囲を示すデータを記憶させる。カメラ制御部２１４は、カメラ記憶部２１３に記憶された検知範囲を示すデータに基づいて撮像画像の変化を検知する。
【０１２７】
装置制御部２２３は、検出部１３０が撮像画像の表示の指示を受け付けると、装置通信部２２１が受信した撮像画像データに基づいて表示部１１０に撮像画像を表示させる。あるいは、装置制御部２２３は、装置記憶部２２２に記憶された撮像画像データに基づいて表示部１１０に撮像画像を表示させる。
【０１２８】
本実施形態の監視システム２００において、装置制御部２２３は、表示部１１０を制御する制御部１２０を含む。上述したように、制御部１２０は、割当部１２２と設定部１２４とを含む。割当部１２２は、撮像画像に対する複数の選択候補範囲の割当を設定する。例えば、割当部１２２は、装置記憶部２２２に記憶された撮像画像に対する複数の選択候補範囲の割当を設定する。
【０１２９】
設定部１２４は、複数の選択候補範囲のうちのいずれかの選択候補範囲を選択範囲として設定する。設定部１２４は、隣接するいくつかの選択候補範囲を１つの選択候補範囲として設定してもよい。または、設定部１２４は、離れて位置する選択候補範囲のそれぞれを選択範囲として設定してもよい。
【０１３０】
例えば、設定部１２４は、複数の選択候補範囲のうちのいずれかの選択候補範囲を検知範囲として設定する。設定部１２４によって設定された検知範囲は、装置通信部２２１を介して撮像装置２１０に送信され、撮像装置２１０による検知の行われる範囲として設定されてもよい。あるいは、設定部１２４によって設定された検知範囲は、撮像装置２１０において行われる検知とは別に制御装置２２０によって行われる検知の範囲として設定されてもよい。
【０１３１】
あるいは、設定部１２４は、複数の選択候補範囲のうちのいずれかの選択候補範囲をマスク範囲として設定してもよい。設定部１２４は、撮像装置２１０から制御装置２２０に送信された撮像画像データに対してマスク処理の行われる範囲としてマスク範囲を設定する。
【０１３２】
装置制御部２２３は、撮像画像データに基づいて、撮像画像のうちの選択範囲を処理する。例えば、装置制御部２２３は、撮像画像データに基づいて、撮像画像のうちの選択範囲を検知する。この場合、装置制御部２２３は、複数の選択候補範囲のうちのいずれかの選択候補範囲のみを選択範囲として検知するため、撮像画像全体を検知する場合と比べて、必要なデータ処理量を低減させることができる。
【０１３３】
装置制御部２２３は、装置記憶部２２２に記憶された撮像画像の選択範囲の変化を検知範囲として検知する。この場合、検知範囲を示すデータは、装置記憶部２２２に記憶される。装置制御部２２３は、例えば、背景差分法によって、撮像画像の検知範囲の変化を検知する。あるいは、装置制御部２２３は、隣接フレーム間差分法によって、撮像画像の検知範囲の変化を検知する。装置制御部２２３が撮像画像のうちの検知範囲の変化を検知すると、装置制御部２２３は、装置記憶部２２２による撮像画像の記憶を維持させる。
【０１３４】
なお、装置制御部２２３は、撮像画像の検知範囲の変化のうち被検知体の変化を検知してもよい。例えば、装置制御部２２３は、撮像画像において被検知体の移動を検知する。この場合、装置制御部２２３が撮像画像のうち被検知体の変化を検知すると、装置制御部２２３は、装置記憶部２２２による撮像画像の記憶を維持させる。
【０１３５】
または、装置制御部２２３は、撮像画像の検知範囲の変化のうち基準背景の変化を検知してもよい。例えば、装置制御部２２３は、撮像画像に基準背景の一部が所定期間含まれていないことに基づいて基準背景の撮像が妨害されたことを検知する。例えば、装置制御部２２３は、撮像画像の検知範囲に含まれる基準背景が左側から右側に順番に妨害されることにより、基準背景を妨害する妨害物が左側から右側に通過したことを検知できる。装置制御部２２３は、撮像画像のうち基準背景の撮像が妨害されたことを検知すると、装置制御部２２３は、装置記憶部２２２による撮像画像の記憶を維持させる。
【０１３６】
あるいは、装置制御部２２３は、撮像画像データに基づいて、撮像画像のうちの選択範囲をマスクしてもよい。装置制御部２２３が、撮像画像のうちの特定の選択候補範囲のみを選択してマスクするため、撮像画像が表示部１１０によって表示されてもプライバシーの問題を回避できる。
【０１３７】
以上、本発明の実施形態について、図面（図１〜図１４）を参照しながら説明した。但し、本発明は、上記の実施形態に限られるものではなく、その要旨を逸脱しない範囲で種々の態様において実施することが可能である。また、上記の実施形態で示す構成は、一例であって特に限定されるものではなく、本発明の効果から実質的に逸脱しない範囲で種々の変更が可能である。
【産業上の利用可能性】
【０１３８】
本発明は、表示装置の分野に有用である。
【符号の説明】
【０１３９】
１００    表示装置
１１０    表示部
１２０    制御部
１２２    割当部
１２４    設定部
１３０    検出部
１４０    記憶部
【図１】
2019175228.tif 000003
【図２】
2019175228.tif 000004
【図３】
2019175228.tif 000005
【図４】
2019175228.tif 000006
【図５】
2019175228.tif 000007
【図６】
2019175228.tif 000008
【図７】
2019175228.tif 000009
【図８】
2019175228.tif 000010
【図９】
2019175228.tif 000011
【図１０】
2019175228.tif 000012
【図１１】
2019175228.tif 000013
【図１２】
2019175228.tif 000014
【図１３】
2019175228.tif 000015
【図１４】
2019175228.tif 000016